(57)【要約】【課題】  角度のずれや周囲温度の変化による波長のずれに対し、所望の角度と波長との条件で再生できるホログラフィー装置及びホログラフィー媒体の再生方法を提供する。【解決手段】  本発明のホログラフィー装置は、ホログラフィー媒体に照射する参照光の角度を変えて所定の記憶領域毎に多重記録するものであり、ホログラフィー媒体に対し、角度を変えて参照光を照射する参照光照射手段と、参照光により、各情報データページから出射される再生光を検出面に入射し、該再生光から情報データを再生するデータ検出手段と、参照光によりホログラフィー媒体から出射される再生光により、検出面の複数の所定の領域各々における再生光の光強度を検出し、参照光のホログラフィー媒体に入射される角度及び波長のずれを検出する再生光ずれ検出手段と、再生光の角度及び波長のずれの検出結果により、参照光の入射角度及び波長を制御する参照光制御手段とを有する。【選択図】    図１
2006268933.tif 000002
【特許請求の範囲】
【請求項１】
記録時に参照光の角度を変え、複数の情報データページ毎に情報データが記録されているホログラフィー媒体に対し、照射する参照光の角度を順次変えて、異なる角度において多重記録された情報データページのデータを読出し、記録されている情報データを再生するホログラフィー装置であり、
前記ホログラフィー媒体に対し、角度を変えて参照光を照射する参照光照射手段と、
前記参照光により、各情報データページから出射される再生光を検出面に入射し、該再生光から情報データを再生するデータ検出手段と、
前記参照光により前記ホログラフィー媒体から出射される再生光により、前記検出面の複数の所定の領域各々における再生光の光強度を検出し、前記参照光のホログラフィー媒体に入射される角度及び波長のずれを検出する再生光ずれ検出手段と、
前記再生光の角度及び波長のずれの検出結果により、参照光の入射角度及び波長を制御する参照光制御手段と
を有することを特徴とするホログラフィー装置。
【請求項２】
前記データ検出手段が、Ｂｒａｇｇ回折方向であるＸ軸方向と、このＸ軸方向に垂直なＹ軸方向とのなす２次元平面において、情報データページを格子状に分割して複数のブロックを生成し、このブロック毎に参照光の強度を検出し、検出強度として出力することを特徴とする請求項１に記載のホログラフィー装置。
【請求項３】
前記参照光制御手段が、前記各ブロック間における光強度の分散または標準偏差から、全ブロック間におけるバラツキ評価量を算出し、このバラツキ評価量を最小にするように参照光の波長及び角度を制御することを特徴とする請求項２に記載のホログラフィー装置。
【請求項４】
前記再生光ずれ検出手段が、各ブロックに入射される再生光の強度の平均である平均強度を算出し、前記バラツキ評価量を前記平均強度で除算して規格化し、前記参照光制御手段がこの規格化されたバラツキ評価量を最小にするように参照光の波長及び角度を制御することを特徴とする請求項３に記載のホログラフィー装置。
【請求項５】
前記再生光ずれ検出手段が、各ブロックに入射される再生光の強度の平均である平均強度を算出し、前記バラツキ評価量を前記平均強度を２乗した値で除算して参照光の強度と連動したバラツキ評価量を求め、前記参照光制御手段がこの規格化されたバラツキ評価量を最小にするように参照光の波長及び角度を制御することを特徴とする請求項３に記載のホログラフィー装置。
【請求項６】
前記データ検出手段がＢｒａｇｇ回折方向であるＸ軸方向において、参照光の角度を変えて参照光を走査し、前記バラツキ評価量が最小となる位置において情報データを検出することを特徴とする請求項４または請求項５に記載のホログラフィー装置。
【請求項７】
前記再生光ずれ検出手段が、所定の周期毎に参照光の波長及びＹ軸方向における角度ずれを検出し、前記参照光制御手段が前記周期にて参照光の波長及びＹ軸方向の横角度を調整することを特徴とする請求項１から請求項５のいずれか１項に記載のホログラフィー装置。
【請求項８】
前記参照光制御手段が、参照光の波長を、所定の波長に対して負の微少量分偏差させた第１の波長と、正の微小量分偏差させた第２の波長とに交互に変動させ、前記バラツキ評価量により所定の波長を調整することを特徴とする請求項１から請求項７のいずれか１項に記載のホログラフィー装置。
【請求項９】
前記参照光制御手段が、参照光の前記Ｙ軸方向における横角度を、所定の横角度に対して負の微少量分偏差させた第１の横角度と、正の微小量分偏差させた第２の横角度とに交互に変動させ、前記バラツキ評価量により所定の横角度を調整することを特徴とする請求項１から請求項７のいずれか１項に記載のホログラフィー装置。
【請求項１０】
記録時に参照光の波長を変え、複数の情報データページ毎に情報データが記録されているホログラフィー媒体に対し、照射する参照光の波長を順次変えて、異なる波長において多重記録された情報データページのデータを読出し、記録されている情報データを再生するホログラフィー装置であり、
前記ホログラフィー媒体に対し、波長を変えて参照光を照射する参照光照射手段と、
前記参照光により、各情報データページから出射される再生光を検出面に入射し、該再生光から情報データを再生するデータ検出手段と、
前記参照光により前記ホログラフィー媒体から出射される再生光により、前記検出面の複数の所定の領域各々における再生光の光強度を検出し、前記参照光のホログラフィー媒体に入射される角度及び波長のずれを検出する再生光ずれ検出手段と、
前記再生光の角度及び波長のずれの検出結果により、参照光の入射角度及び波長を制御する参照光制御手段と
を有することを特徴とするホログラフィー装置。
【請求項１１】
記録時に参照光の角度を変え、複数の情報データページ毎に情報データが記録されているホログラフィー媒体に対し、照射する参照光の角度を順次変えて、異なる角度において多重記録された情報データページのデータを読出し、記録されている情報データを再生するホログラフィー媒体の再生方法であり、
前記ホログラフィー媒体に対し、角度を変えて参照光を照射する過程と、
データ検出手段が前記参照光により、各情報データページから出射される再生光を検出面に入射し、該再生光から情報データを再生する過程と、
再生光ずれ検出手段が、前記参照光により前記ホログラフィー媒体から出射される再生光により、前記検出面の複数の所定の領域各々における再生光の光強度を検出し、前記参照光のホログラフィー媒体に入射される角度及び波長のずれを検出する過程と、
参照光制御手段が前記再生光の角度及び波長のずれの検出結果により、参照光の入射角度及び波長を制御する過程と
を有することを特徴とするホログラフィー媒体の再生方法。
【請求項１２】
記録時に参照光の波長を変え、複数の情報データページ毎に情報データが記録されているホログラフィー媒体に対し、照射する参照光の波長を順次変えて、異なる波長において多重記録された情報データページのデータを読出し、記録されている情報データを再生するホログラフィー媒体の再生方法であり、
前記ホログラフィー媒体に対し、参照光照射手段が波長を変えて参照光を照射する過程と、
データ検出手段が前記参照光により、各情報データページから出射される再生光を検出面に入射し、該再生光から情報データを再生する過程と、
再生光ずれ検出手段が前記参照光により前記ホログラフィー媒体から出射される再生光により、前記検出面の複数の所定の領域各々における再生光の光強度を検出し、前記参照光のホログラフィー媒体に入射される角度及び波長のずれを検出する過程と、
参照光制御手段が前記再生光の角度及び波長のずれの検出結果により、参照光の入射角度及び波長を制御する過程と
を有することを特徴とするホログラフィー媒体の再生方法。
【発明の詳細な説明】
【技術分野】
【０００１】
本発明は、ホログラフィー媒体による情報データの記録に用いるホログラフィー装置及びホログラフィー媒体の再生方法に関する。
【背景技術】
【０００２】
情報データよりなる信号光と、参照光とをホログラフィー媒体に照射して、このホログラフィー媒体内に干渉パターンを生成して、上記情報データを記録するホログラフィー記録システムが用いられている。
そして、このホログラフィー媒体に対し、「１」または「０」からなるディジタルデータを多重記録、また再生する方法として、以下に示す特許文献１に記載された方法及びこの方法に対応した装置がある。
この文献には、ホログラフィー媒体の複数箇所それぞれにおいて情報データを多重に記録する方法として、参照光の角度を変えて記録・再生を行う書込角度多重の方法と、参照光の波長を変えて記録・再生を行う方法が記載されている。
【０００３】
特許文献１に示す多重に記録する方法にあっては、書込角度多重の場合、ホログラフィー媒体に記録された情報データを、その記録した際の参照光と同様な角度に読出し用の参照光を照射することができれば、多重化された中から所望の角度で書き込んだ情報データ（データページの情報データ）を任意に読み出すことができる。
【特許文献１】特開２００４−１７７９５８号公報
【発明の開示】
【発明が解決しようとする課題】
【０００４】
しかしながら、上述した記録・再生方法には、ホログラフィー媒体に対し、読出し時に参照光を照射する際、再生装置の光学系における機械的精度により、記録時の参照光の角度と同一の角度とすることが困難であり、精度良く情報データを読み出すことができなくなるという問題がある。
特に、ホログラフィー記録装置で記録し、ホログラフィー再生装置により読み出すことを考えると、ホログラフィー媒体の寸法精度がばらついたり、ホログラフィー媒体が読出し毎に、再生装置にローディングされるため、ローティング毎に参照光の所定の入射角度に対するホログラフィー媒体の角度ずれが一定ではなくばらついてしまうおそれがあるため、読出し時の参照光を記録時の参照光の角度とすることがさらに困難となる。
例えば、角度多重の場合、ホログラフィー媒体に記録された角度と同一の角度の参照光を入射させることができれば、所望のページのデータを、ホログラフィー再生装置により再生できる。
【０００５】
また、参照光の角度のずれは、情報データページを多重化するための走査方向、すなわちＢｒａｇｇ回折方向に限らず、Ｂｒａｇｇ回折方向に対して垂直な方向（非Ｂｒａｇｇ方向）においても生じる可能性がある。情報データの記録時及び再生時の双方において、上記非Ｂｒａｇｇ方向の角度ずれが存在すると、ホログラフィー媒体に記録されている情報データの再生に影響を及すこととなる。
一方、波長多重の場合、ホログラフィー媒体に対して情報データを記録・再生する際、例えば、ＶＣＳＥＬ（面発光型半導体レーザ）などの波長可変レーザの温度を調整することで、チップ温度を変化させて、チップを熱膨張及び収縮させることにより、共振波長の変化に応じて放射される光の波長を制御し、情報データの多重記録を行う。
【０００６】
上記ＶＣＳＥＬの温度は、動作電流を調整することにより、ある範囲内での誤差を有する制御は可能である。
しかしながら、制御温度が周囲温度及び取り付け形態により左右され、必ずしも動作電流とＶＣＳＥＬの温度とが一致するとは限らず、再生時において、再生に使用する参照光の波長を、ホログラフィー媒体に記録した際の参照光の波長に合わせることは難しいという問題点がある。
【０００７】
また、従来のホログラフィー装置による再生において、周囲温度の変化により、ホログラフィー媒体の膨張及び収縮が生じた際、この膨張及び収縮が等方的とは限らず、波長と角度との両方の補正が行われない場合、情報データページに記憶された情報データを再生できない領域が生じるという問題がある。
すなわち、情報データページの一部の領域において、再生光の強度が最大となるＢｒａｇｇ角度がずれてしまい、情報データページ全体を一度に再生することが出来なくなる場合がある。
【０００８】
本発明は、このような事情に鑑みてなされたもので、角度のずれや周囲温度の変化による波長のずれに対しても、所望の角度と波長との条件により再生することができるホログラフィー装置、およびホログラフィー媒体の再生方法を提供することを目的とする。
【課題を解決するための手段】
【０００９】
本発明のホログラフィー装置は、記録時に参照光の角度を変え、複数の情報データページ毎に情報データが記録されているホログラフィー媒体に対し、照射する参照光の角度を順次変えて、異なる角度において多重記録された情報データページのデータを読出し、記録されている情報データを再生するホログラフィー装置であり、前記ホログラフィー媒体に対し、角度を変えて参照光を照射する参照光照射手段と、前記参照光により、各情報データページから出射される再生光を検出面に入射し、該再生光から情報データを再生するデータ検出手段と、前記参照光により前記ホログラフィー媒体から出射される再生光により、前記検出面の複数の所定の領域各々における再生光の光強度を検出し、前記参照光のホログラフィー媒体に入射される角度（角度θx及びθy）及び波長（波長λのずれ）のずれを検出する再生光ずれ検出手段と、前記再生光の角度及び波長のずれの検出結果により、参照光の入射角度及び波長を制御する参照光制御手段とを有している。
本発明のホログラフィー媒体の再生方法は、記録時に参照光の角度を変え、複数の情報データページ毎に情報データが記録されているホログラフィー媒体に対し、照射する参照光の角度を順次変えて、異なる角度において多重記録された情報データページのデータを読出し、記録されている情報データを再生するホログラフィー媒体の再生方法であり、前記ホログラフィー媒体に対し、角度を変えて参照光を照射する過程と、データ検出手段が前記参照光により、各情報データページから出射される再生光を検出面に入射し、該再生光から情報データを再生する過程と、再生光ずれ検出手段が、前記参照光により前記ホログラフィー媒体から出射される再生光により、前記検出面の複数の所定の領域各々における再生光の光強度を検出し、前記参照光のホログラフィー媒体に入射される角度及び波長のずれを検出する過程と、参照光制御手段が前記再生光の角度及び波長のずれの検出結果により、参照光の入射角度及び波長を制御する過程とを有している。
これにより、本発明のホログラフィー装置／ホログラフィー媒体の再生方法は、角度ずれや周囲温度の変化による波長のずれが生じたとしても、参照光の角度及び波長のずれを光強度により検出して、読み出し対象のホログラフィー媒体に対して、適切な参照光の角度及び波長を調整するため、２次元の情報データ全体を均一に、高い精度において再生することができる。
【００１０】
本発明のホログラフィー装置は、前記データ検出手段が、Ｂｒａｇｇ回折方向であるＸ軸方向と、このＸ軸方向に垂直なＹ軸方向とのなす２次元平面において、情報データページを格子状に分割して複数のブロックを生成し、このブロック毎に参照光の強度を検出し、検出強度として出力する。
本発明のホログラフィー装置は、前記参照光制御手段が、前記各ブロック間における光強度の分散または標準偏差から、全ブロック間におけるバラツキ評価量を算出し、このバラツキ評価量を最小にするように参照光の波長及び角度を制御する。
これにより、本発明のホログラフィー装置は、検出された角度及び波長のずれを示す参照光の強度のデータにより、簡易な演算を行い、情報データページにおいて検出される情報データ全体において放射される再生光のバランスが取れるように、参照光の角度及び波長を制御するため、２次元の情報データ全体を均一に、高い精度において再生することができる。
【００１１】
本発明のホログラフィー装置は、前記再生光ずれ検出手段が、各ブロックに入射される再生光の強度の平均である平均強度を算出し、前記バラツキ評価量を前記平均強度で除算して規格化し、前記参照光制御手段がこの規格化されたバラツキ評価量を最小にするように参照光の波長及び角度を制御する。
これにより、本発明のホログラフィー装置は、参照光の強度を情報データページ全体にて平均した数値にて、前記バラツキ評価量を規格化しているため、情報データの記録・再生状態の違いによりデータ情報データパージ毎に異なる再生光の強度に依存することなく、参照光の波長と角度とをいずれの情報データページにおいても最適に調整することができる。
【００１２】
本発明のホログラフィー装置は、前記再生光ずれ検出手段が、各ブロックに入射される再生光の強度の平均である平均強度を算出し、前記バラツキ評価量を前記平均強度を２乗した値で除算して参照光の強度と連動したバラツキ評価量を求め、前記参照光制御手段がこの規格化されたバラツキ評価量を最小にするように参照光の波長及び角度を制御する。
これにより、本発明のホログラフィー装置は、強度と連動したバラツキ量を最小となるように制御するため、バラツキが小さくかつ全体強度が大きい方向に角度及び波長が調整されることとなり、バラツキを補正するだけでなく、情報データ全体の強度も併せて最大となるよう制御される。
【００１３】
本発明のホログラフィー装置は、前記データ検出手段がＢｒａｇｇ回折方向であるＸ軸方向において、参照光の角度を変えて参照光を走査し、前記バラツキ評価量が最小となる位置において情報データを検出する。
これにより、本発明のホログラフィー装置は、波長及びＹ軸方向（Ｂｒａｇｇ回折方向に垂直な方向）の角度が調整された状態において、Ｂｒａｇｇ回折強度が最大となるＸ軸方向の角度において効果的な信号再生が可能となる。
【００１４】
本発明のホログラフィー装置は、前記再生光ずれ検出手段が、所定の周期毎に参照光の波長及びＹ軸方向における角度ずれを検出し、前記参照光制御手段が前記周期にて参照光の波長及びＹ軸方向の横角度を調整する。
これにより、本発明のホログラフィー装置は、波長と角度とが未知の状態にあったとしても、上記バラツキ評価量を波長及び角度の制御において、それぞれの調整の中で最小となるように調整するため、初期の波長とＹ軸方向角度を各ホログラフィー媒体毎に適切に設定することができる。
【００１５】
本発明のホログラフィー装置は、前記参照光制御手段が、参照光の波長を、所定の波長に対して負の微少量分偏差させた第１の波長と、正の微小量分偏差させた第２の波長とに交互に変動させ、前記バラツキ評価量により所定の波長を調整する。
本発明のホログラフィー装置は、前記参照光制御手段が、参照光の前記Ｙ軸方向における横角度を、所定の横角度に対して負の微少量分偏差させた第１の横角度と、正の微小量分偏差させた第２の横角度とに交互に変動させ、前記バラツキ評価量により所定の横角度を調整する。
これにより、本発明のホログラフィー装置は、ホログラフィー媒体から情報データを再生する際、再生動作中に常に再生光の強度をモニタリングし、このモニタリング結果により最適な参照光の波長及び角度となるよう制御するため、安定した再生光を得ることが可能となり、２次元の情報データ全体を均一に、高い精度において再生することができる。
【００１６】
本発明のホログラフィー装置は、記録時に参照光の波長を変え、複数の情報データページ毎に情報データが記録されているホログラフィー媒体に対し、照射する参照光の波長を順次変えて、異なる波長において多重記録された情報データページのデータを読出し、記録されている情報データを再生するホログラフィー装置であり、前記ホログラフィー媒体に対し、波長を変えて参照光を照射する参照光照射手段と、前記参照光により、各情報データページから出射される再生光を検出面に入射し、該再生光から情報データを再生するデータ検出手段と、前記参照光により前記ホログラフィー媒体から出射される再生光により、前記検出面の複数の所定の領域各々における再生光の光強度を検出し、前記参照光のホログラフィー媒体に入射される角度及び波長のずれを検出する再生光ずれ検出手段と、前記再生光の角度及び波長のずれの検出結果により、参照光の入射角度及び波長を制御する参照光制御手段とを有している。
本発明のホログラフィー媒体の再生方法は、記録時に参照光の波長を変え、複数の情報データページ毎に情報データが記録されているホログラフィー媒体に対し、照射する参照光の波長を順次変えて、異なる波長において多重記録された情報データページのデータを読出し、記録されている情報データを再生するホログラフィー媒体の再生方法であり、前記ホログラフィー媒体に対し、参照光照射手段が波長を変えて参照光を照射する過程と、データ検出手段が前記参照光により、各情報データページから出射される再生光を検出面に入射し、該再生光から情報データを再生する過程と、再生光ずれ検出手段が前記参照光により前記ホログラフィー媒体から出射される再生光により、前記検出面の複数の所定の領域各々における再生光の光強度を検出し、前記参照光のホログラフィー媒体に入射される角度及び波長のずれを検出する過程と、参照光制御手段が前記再生光の角度及び波長のずれの検出結果により、参照光の入射角度及び波長を制御する過程とを有している。
これにより、本発明のホログラフィー装置／ホログラフィー媒体の再生方法は、角度ずれや周囲温度の変化による波長のずれが生じたとしても、参照光の角度及び波長のずれを光強度により検出して、読み出し対象のホログラフィー媒体に対して、適切な参照光の角度及び波長を調整するため、２次元の情報データ全体を均一に、高い精度において再生することができる。
【発明の効果】
【００１７】
以上説明したように、本発明のホログラフィー装置／ホログラフィー媒体の再生方法によれば、参照光によりホログラフィー媒体から出射される再生光において、再生処理を行う検出面の複数の所定の領域各々における再生光の光強度を検出し、各領域の再生光の光強度をモニターして、検出面全面における各領域のバランスをとることにより、再生の際における参照光のホログラフィー媒体に入射される角度及び波長のずれを検出するため、角度ずれや周囲温度の変化による波長のずれが生じたとしても、参照光の角度及び波長のずれを光強度により検出して、読み出し対象のホログラフィー媒体に対して、適切な参照光の角度及び波長を調整するため、ホログラフィー媒体の各情報データページに記憶されている２次元の情報データ全体を均一に、高い精度において再生することができる。
【発明を実施するための最良の形態】
【００１８】
以下、本発明の一実施形態によるホログラフィー記録装置及び再生装置を図面を参照して説明する。本発明の実施形態は、情報データの多重記録する際、ホログラフィー媒体（以下、メディア）の記録領域毎において、参照光の角度または波長を変えて、情報データを記録する複数のページ（以下、情報データページ）を生成し、情報データの多重記録を行う。
すなわち、本発明のホログラフィー装置は、記録時に参照光の角度（または波長）を変え、複数の情報データページ毎に情報データが記録されているホログラフィー媒体に対し、照射する参照光の角度（または波長）を順次変えて、異なる角度（または波長）において多重記録された情報データページのデータを読出し、記録されている情報データを再生する機能を有する。
【００１９】
そして、本発明のホログラフィー装置は、参照光照射手段（実施形態のミラー８及び図示しないレーザ光源）がメディアに対し、角度（または波長）を変えて参照光を照射し、データ検出手段（実施形態のディテクタ６）が照射される参照光により、多重化されている各情報データページから出射される再生光を検出面に入射し、再生光から情報データを再生し、再生光ずれ検出手段（実施形態のバラツキ評価量Ｆ算出部９）が参照光によりメディアから出射される再生光により、検出面の複数の所定の領域各々における再生光の光強度を検出し、参照光のホログラフィー媒体に入射される角度及び波長のずれを検出し、参照光制御手段（実施形態のＸ軸方向角度調整部１１及びＹ軸方向角度調整部１２）が再生光の角度及び波長のずれの検出結果により、参照光の入射角度及び波長を制御する。
【００２０】
＜第１の実施形態＞
次に、図１を参照して、本発明の第１の実施形態によるホログラフィー装置の説明を行う。図１は第１の実施形態によるホログラフィー装置の構成例を示すブロック図である。すなわち、図１は、メディアに記録、再生するための一構成例を示す光学レイアウト図である。
また、この図１の第１の実施形態においては、信号光と参照光とがメディア４に対して、同じ側から入射される透過型ホログラムを例として説明している。
図１に示す上記ホログラフィー装置は、シャッタ１，ＳＬＭ・２，ＦＴレンズ３及び５，ディテクタ６，シャッタ７，ミラー８，バラツキ評価量Ｆ算出部９，波長調整部１０、Ｘ軸方向角度調整部１１，Ｙ軸方向角度調整部１２及び図示しないレーザ光源を有している。
【００２１】
Ａ．メディア４への情報データの記録処理
上記レーザ光源は、所定の波長のレーザ光を放射し、このレーザ光が所定の機構（図示しないビームスプリッタ等）により分配光Ｍ及び分配光Ｎに分割され、各々シャッタ１及びシャッタ７へ入射される。
シャッタ１は、メディア４に対して情報データを書き込む際に開口し、書き込まないときには閉じている。
【００２２】
ＳＬＭ・２は、液晶パネル等で構成されており、メディア４へ書き込む情報データ、すなわち書き込む２次元の情報データに対応した市松模様のドットパターンを、分配光Ｍの入射角度に対し垂直な変調面に形成する。
このＳＬＭ・２は、入射される分配光Ｍの光の振幅を、上記変調面におけるドットパターンにより変調し、メディア４に書き込む情報を含む信号光として、ＦＴ（フーリエ変換）レンズ３へ出射する。
【００２３】
この図４においては透過型のＳＬＭを用いているが、ビームスプリッタ等を組み合わせて反射型のＳＬＭを用いることもできる。
ここで、上記変調面においては、例えばデータが「１」の部分は参照光を透過させないように、黒く変調させ、データが「０」の部分は参照光を透過させる構成が好ましい。
【００２４】
ＦＴレンズ３は、ＳＬＭ・２からの信号光を集光し、ホログラム記録（多重化記録）されるメディア４に対して照射する。ここで、メディア４は、ＦＴレンズ３の集光点付近に設置されている。
シャッタ７は、シャッタ１の開閉のタイミングに同期させた開閉処理を行うことで、ビームスプリッタで分配された分配光Ｎのミラー８への出射を制御する。
【００２５】
ミラー８は、入射光の反射角度を可変できるガルバノミラーなどで構成されており、入射する分配光Ｎの反射角度を、図示しない書込制御部の制御により、情報データページ毎に逐次変化させて、参照光としてメディア４へ出射する。
【００２６】
ここで、参照光は信号光がメディア４に入射する付近に重なるようにして入射されるよう制御されており、信号光と参照光とが干渉してできる干渉縞の情報が、情報データ（各ブロックにおけるサブデータ）としてメディア４に記録される。
このとき、ミラー８が参照光の角度を所定の角度ピッチで変えることにより、異なる信号光の情報データを、メディア４の所定の記憶領域に対して、複数の情報データぺージにより多重に記録させること、すなあわち、ＳＬＭ・２の変調面に形成される異なるドットパターン（市松模様）の２次元情報データにより、順次、新たなデータを重ね書きすることができる。
ここで、上記２次元の情報データが記録される参照光の角度を情報データページと呼ぶことにする。また、上述した書込み処理において、すでに述べた参照光の角度を変化させ、各角度に対応する情報データページに情報データが書き込まれる。
【００２７】
上述した多重記録の方法において、メディア４が記録層（干渉縞の形成される厚さ方向の層）が比較的厚い（例えば、１ｍｍ以上）ホログラム媒体であり、参照光の角度を多重化させて記録する際、情報データページの角度ピッチにおける角度分解能は、レーザ光の波長λ、信号光および参照光のメディア４の面に対するＢｒａｇｇ回折方向の入射角度θx（情報データページに対応する角度）、およびメディア４の厚みＤで決定される。
すなわち、上記角度ピッチにおける角度分解能は、レーザ波長λに比例し、メディア４の厚みＤに対して反比例する。
ここで、入射角度θx（Ｂｒａｇｇ回折方向と平行な方向）は、メディア４の参照光の入射面の鉛直軸Ｐに対して、この参照光の入射方向とのなす角度である。
【００２８】
Ｂ．メディア４からの情報データの再生処理
次に、メディア４に記録された情報データを再生する際、信号光側のシャッタ１を閉じて、参照光側のシャッタ７を開けて、分配光Ｎのみをメディア４に入射させることにより、メディア４に記録された情報データの再生を行う。
ここで、ミラー８は、シャッタ７から入射される分配光Ｎを、読み出し時の参照光として、Ｘ軸方向角度調整部１１とＹ軸方向角度調整部１２とにより調整された角度にて、メディア４に出射（反射）する。
【００２９】
ＦＴレンズ５は、上記参照光の照射により、上記メディア４から入射される再生光を、ＦＴレンズ３に入射される信号光に、すなわち平行光（コヒーレント光）に戻し、ディテクタ（検出器）６へ投影する。
ここで、ＦＴレンズ３及びＦＴレンズ５の焦点距離が同様であり、ＳＬＭ・２，ＦＴレンズ３，メディア４，ＦＴレンズ５，ディテクタ６は、それぞれ上記焦点距離だけ離れて配置されている。
すなわち、ＳＬＭ・２及びディテクタ６各々は、それぞれ、ＦＴレンズ３の前側焦点と、ＦＴレンズ５の後側焦点位置に置かれている。
【００３０】
このため、メディア４の記録領域における情報データページに記憶された情報データ、すなわち干渉縞により参照光が回折され、再生光が生成される。
そして、この再生光は、ＦＴレンズ５により平行な成分に変換され、ディテクタ６上にＳＬＭ・２の変調面における２次元ドットパターンと同様なパターンとして結像され、情報データが再生される。
ディテクタ６は、２次元ＣＣＤやＣ−ＭＯＳイメージセンサなどで構成され、上記パターンを読み取り、情報データとして外部回路へ出力する。
【００３１】
バラツキ評価量Ｆ算出部９は、ディテクタ６の検出面が検出した上記情報データを入力し、図２に示すように、ディテクタ６の検出面を格子状に分割し、複数のブロックＢxy（例えば、３×３の９個のブロックとして、ブロックＢ11，Ｂ12，Ｂ13，Ｂ21，Ｂ22，Ｂ23，Ｂ31，Ｂ32，Ｂ33）を形成し、各々のブロックに含まれる情報データをサブデータとして、このブロックに含まれるサブデータ（検出素子、すなわちドット単位の検出値の集合）の信号強度または信号振幅の値を加算して、各ブロック毎にサブデータ合計値を求める。
【００３２】
また、バラツキ評価量Ｆ算出部９は、求められた各ブロックのサブデータ合計値の平均値Ｂaveを求め、この平均値Ｂave及び各ブロックのサブデータ合計値から、以下に示す（１）式により分散σ２を求め、この分散σ２を用いて、以下に示す（２）式により標準偏差σを求める。以下の各式においてｎ＝ｉ＊ｊは格子分割数であり、ｉはＸ軸方向の分割数，ｊはＹ軸方向の分割数である。
【００３３】
【数１】
2006268933.tif 000003
【００３４】
【数２】
2006268933.tif 000004
【００３５】
ここで、バラツキ評価量Ｆ算出部９は、（２）式により求められる標準偏差σは、格子状の各ブロック間のサブデータ合計値のバラツキ、すなわち信号強度のバラツキやバランスを示す指標となるため、格子状に分割されたブロック間の信号強度のバラツキ評価量Ｆaとして用いることができる。
また、バラツキ評価量Ｆ算出部９は、算出した上記バラツキ評価量Ｆaを用いて、レーザ光源の波長λ，Ｘ軸方向角度θx，Ｙ軸方向角度θyの各パラメータをそれぞれ調整して、バラツキ評価量Ｆaをより小さくする方向に調整する。ここで、バラツキ評価量Ｆ算出部９において、バラツキ評価量Ｆaとして分散σ２を用いても良い。
【００３６】
Ｘ軸方向角度調整部１１は、バラツキ評価量Ｆ算出部９の制御により、ミラー８の反射面の角度を制御することにより、Ｘ軸方向角度θx（Ｂｒａｇｇ回折方向）を調整し、各情報データページに対応した角度とする。
このとき、バラツキ評価量Ｆ算出部９は、図３に示すように、参照光がメディアにおいて回折されて出射される再生光の信号強度の最大の位置となるように、情報データページの再生角度θ（すなわちＸ軸方向角度θx）を、Ｘ軸方向角度調整部１１により制御する。
すなわち、再生光の信号強度Ｓ1，Ｓ2，Ｓ3，…（この信号強度は、ディテクタ６の検出面のすべての検出された信号強度を加算した値）となるＸ軸方向角度θx1，θx2，θx3，…が情報データページの角度に対応する。
【００３７】
波長調整部１０は、レーザ光源を制御して、波長λの制御を行う。ここで、バラツキ評価量Ｆ算出部９は、参照光がメディア４において回折されて出射される再生光の信号強度によるバラツキ評価量がより小さくなる（できれば最小値となる）ように、参照光の波長λを波長調整部１０により制御する。
読み出しの際に、参照光の波長λがずれていたり、メディア４が周囲の温度変化等の影響により歪み、参照光の適切波長からずれてしまった場合、適切な波長に制御されないと、図４（ａ）に示すように、回折光におけるＸ軸方向の一部の領域（Ｙ軸方向に平行な帯状領域）のＢｒａｇｇ回折角度がずれてしまい、中央付近が最大強度となる再生光の入射角度においては該当する領域が暗くなる、すなわち信号強度が弱くなってしまう。
【００３８】
Ｙ軸方向角度調整部１２は、Ｂｒａｇｇ回折方向（情報データページを多重化する角度スキャン方向）に対して直角な軸の角度であるＹ軸方向角度θyの調整を、ミラー８の反射面の傾斜角を制御することにより行う。ここで、バラツキ評価量Ｆ算出部９は、参照光がメディア４において回折されて出射される再生光の信号強度によるバラツキ評価量Ｆaがより小さくなるように、Ｙ軸方向角度θyをＹ軸方向角度調整部１２により制御する。
読み出しの際に、Ｙ軸方向の角度ずれが存在する場合、適切なＹ軸方向角度θyに調整されないと、回折された再生光における一部の領域、すなわち、図４（ｂ）に示すように、Ｙ軸方向の一部の領域（Ｘ軸方向に平行な帯状領域）のＢｒａｇｇ回折角度がずれてしまい、該当する領域が暗くなる、すなわち信号強度が弱くなってしまう。
一般的には、上述した波長成分のずれとＹ軸方向の角度ずれが混在して、波長λ及びＹ軸方向角度θyを適切な値に調整しないと、結果として情報データページ全体が均一に再生されなくなる。
【００３９】
上述したように、メディア４に参照光が入射す角度の角度ずれの成分としては、Ｂｒａｇｇ回折方向をＸ軸とし、このＸ軸方向に垂直なＹ軸とすると、Ｘ軸方向の角度ずれとＹ軸方向の角度ずれとに分解することができる。
Ｘ軸方向の角度ずれは、上述したように、再生時において、Ｘ軸方向に掃引（スイープ）して、図３に示すように、ディテクタ６の検出面に入射する再生光の信号強度が最大となるように、ミラーの反射面を適切な角度として設定することにより補正を行うことができる。
また、Ｘ軸方向の角度ずれは、他の調整手段として、波長λやＹ軸方向角度θyの調整と同様に、後述する強度と連動したバラツキ評価量Ｆcがより小さくなるように制御しても良い。
【００４０】
次に、図５を用いて、第１の実施形態によるホログラフィー装置における情報データの読み出し時の波長λの制御の説明を行う。図５は第１の実施形態によるホログラフィー装置における読み出しの際の波長λの制御の動作例を示すフローチャートである。
前提として、Ｂｒａｇｇ回折方向の角度調整が行われ、現時点においてＸ軸方向角度θxが信号強度Ｓが最大となる角度に調整されている。
波長調整部１０は、バラツキ評価量Ｆ算出部９の制御により、予め内部に設定された中心波長λcにレーザ光源の放射するレーザ光の波長を調整する。
そして、バラツキ評価量Ｆ算出部９は、中心波長λcにおけるバラツキ評価量Ｆ0を算出する（ステップＳ１）。
【００４１】
次に、バラツキ評価量Ｆ算出部９は、波長制御部１０に対して、レーザ光の波長をλc−Δλに変更するよう制御信号を出力する。ここで偏差量Δλは、波長の調整段階、つまり粗調整か（大きい値）微調整か（小さい値）、によって適切に設定され、例えば、０．０１ｎｍ〜１．０ｎｍの範囲で可変されるようにしてもよい。
これにより、波長制御部１０は、レーザ光源を制御し、放射されるレーザ光源の波長をλc−Δλに変更する（ステップＳ２）。
次に、バラツキ評価量Ｆ算出部９は、Ｘ軸方向角度θxを制御して、最大の信号強度の再生光が得られるＸ軸方向角度θxにおいて、波長λc−Δλにおけるバラツキ評価量Ｆ1を算出する（ステップＳ３）。
【００４２】
次に、バラツキ評価量Ｆ算出部９は、波長制御部１０に対して、レーザ光の波長をλc＋Δλに変更するよう制御信号を出力する。
これにより、波長制御部１０は、レーザ光源を制御し、放射されるレーザ光源の波長をλc＋Δλに変更する（ステップＳ４）。
次に、バラツキ評価量Ｆ算出部９は、Ｘ軸方向角度θxを制御して、最大の信号強度の再生光が得られるＸ軸方向角度θxにおいて、波長λc＋Δλにおけるバラツキ評価量Ｆ2を算出する（ステップＳ５）。
【００４３】
そして、バラツキ評価量Ｆ算出部９は、バラツキ評価量Ｆ1がバラツキ評価量Ｆ2より小さいか否かの検出を行い、このとき、バラツキ評価量Ｆ1がバラツキ評価量Ｆ2より小さいことを検出すると、処理をステップＳ７へ進め、一方、バラツキ評価量Ｆ1がバラツキ評価量Ｆ2より大きいことを検出するとステップＳ１０へ処理を進める（ステップＳ６）。
上記ステップＳ６でＹＥＳの場合（バラツキ評価量Ｆ1がバラツキ評価量Ｆ2より小さいことが検出された場合）、処理がステップＳ７に進み、このステップＳ７において、バラツキ評価量Ｆ算出部９は、バラツキ評価量Ｆ1がバラツキ評価量Ｆ0より小さいか否かの検出を行い、このとき、バラツキ評価量Ｆ1がバラツキ評価量Ｆ0より小さいことを検出すると、処理をステップＳ８へ進め、一方、バラツキ評価量Ｆ1がバラツキ評価量Ｆ0より大きいことを検出すると処理を終了する。
【００４４】
ステップＳ７でＹＥＳの場合（バラツキ評価量Ｆ1がバラツキ評価量Ｆ0より小さいことが検出された場合）、処理がステップＳ８に進み、このステップＳ８において、バラツキ評価量Ｆ算出部９は、波長制御部１０に対して、レーザ光の波長をλc−Δλに変更するよう制御信号を出力する。
これにより、波長制御部１０は、レーザ光源を制御し、放射されるレーザ光源の波長をλc−Δλに変更する。
そして、バラツキ評価量Ｆ算出部９は、バラツキ評価量Ｆ1が基準値（再生信号のＳ／Ｎ比の分布など、信号検出に必要なバラツキ評価量の調整残留量の許容値などから設定された値）より小さいか否かの検出を行い、このとき、バラツキ評価量Ｆ1が基準値より小さいことを検出すると、制御の限界値であるために処理を終了し、一方、バラツキ評価量Ｆ1が基準値より大きいことを検出すると処理をステップＳ１へ戻す（ステップＳ９）
【００４５】
一方、ステップＳ６において、バラツキ評価量Ｆ算出部９は、バラツキ評価量Ｆ1がバラツキ評価量Ｆ2より大きいことを検出する（ＮＯの場合）とステップＳ１０へ処理を進める。
ステップＳ１０においては、バラツキ評価量Ｆ算出部９は、バラツキ評価量Ｆ2がバラツキ評価量Ｆ0より小さいか否かの検出を行い、このとき、バラツキ評価量Ｆ2がバラツキ評価量Ｆ0より小さいことを検出すると、処理をステップＳ１１へ進め、一方、バラツキ評価量Ｆ2がバラツキ評価量Ｆ0より大きいことを検出すると処理を終了する。
【００４６】
ステップＳ１０でＹＥＳの場合（バラツキ評価量Ｆ2がバラツキ評価量Ｆ0より小さいことが検出された場合）、処理がステップＳ１１に進み、このステップＳ１１において、バラツキ評価量Ｆ算出部９は、波長制御部１０に対して、レーザ光の波長をλc＋Δλに変更するよう制御信号を出力する。
これにより、波長制御部１０は、レーザ光源を制御し、放射されるレーザ光源の波長をλc＋Δλに変更し、処理をステップＳ１２へ進める。
ステップＳ１２においては、バラツキ評価量Ｆ算出部９は、バラツキ評価量Ｆ2が基準値より小さいか否かの検出を行い、このとき、バラツキ評価量Ｆ2が基準値より小さいことを検出すると、処理を終了し、一方、バラツキ評価量Ｆ2が基準値より大きいことを検出すると、処理をステップＳ１へ戻す。
【００４７】
次に、図６を用いて、第１の実施形態によるホログラフィー装置における情報データの読み出し時のＹ軸方向角度θyの制御の説明を行う。図６は第１の実施形態によるホログラフィー装置における読み出しの際のＹ軸方向角度θyの制御の動作例を示すフローチャートである。
前提として、Ｂｒａｇｇ回折方向の角度調整が行われ、現時点においてＸ軸方向角度θxが信号強度Ｓが最大となる角度に調整されているか、もしくは上述した波長λの調整が終了しているかのいずれかである。また、Ｙ軸方向角度θyの制御が先に行われ、波長λがその後に行われるシーケンスでもよい。
【００４８】
Ｙ軸方向角度調整部１２は、バラツキ評価量Ｆ算出部９の制御により、メディア４の表面に参照光が入射するＹ軸方向の角度を、予め内部に設定されたＹ軸方向中心角度θycとなるよう、ミラー８の反射面の角度を調整する。
そして、バラツキ評価量Ｆ算出部９は、Ｙ軸方向中心角度θycにおけるバラツキ評価量Ｆ0を算出する（ステップＳ２１）。
【００４９】
次に、バラツキ評価量Ｆ算出部９は、Ｙ軸方向角度調整部１２により、メディア４の表面に参照光が入射する角度を、Ｙ軸方向角度θyc−Δθyとなるよう、ミラー８の反射面の角度を調整する。ここで偏差量Δθyは、Ｙ軸方向角度の調整段階、つまり粗調整か（大きい値）微調整か（小さい値）、によって適切に設定され、例えば、０．０１度〜１．０度の範囲で可変されるようにしてもよい。
これにより、Ｙ軸方向角度調整部１２は、ミラー８の反射面の角度を制御し、メディア４の表面に参照光が入射する角度を、Ｙ軸方向角度θyc−Δθyに変更する（ステップＳ２２）。
次に、バラツキ評価量Ｆ算出部９は、Ｘ軸方向角度θxを制御して、最大の信号強度の再生光が得られるＸ軸方向角度θxにおいて、Ｙ軸方向角度θyc−Δθyにおけるバラツキ評価量Ｆ1を算出する（ステップＳ２３）。
【００５０】
次に、バラツキ評価量Ｆ算出部９は、メディア４の表面に参照光が入射する角度を、Ｙ軸方向角度θyc＋Δθyとなるよう、ミラー８の反射面の角度を調整するように、Ｙ軸方向角度調整部１２に対して制御信号を出力する。
これにより、Ｙ軸方向角度調整部１２は、ミラー８の反射面の角度を制御し、メディア４の表面に参照光が入射する角度を、Ｙ軸方向角度θyc＋Δθyに変更する（ステップＳ２４）。
次に、バラツキ評価量Ｆ算出部９は、Ｘ軸方向角度θxを制御して、最大の再生光が得られるＸ軸方向角度θxにおいて、Ｙ軸方向角度θyc＋Δθyにおけるバラツキ評価量Ｆ2を算出する（ステップＳ２５）。
【００５１】
そして、バラツキ評価量Ｆ算出部９は、バラツキ評価量Ｆ1がバラツキ評価量Ｆ2より小さいか否かの検出を行い、このとき、バラツキ評価量Ｆ1がバラツキ評価量Ｆ2より小さいことを検出すると、処理をステップＳ２７へ進め、一方、バラツキ評価量Ｆ1がバラツキ評価量Ｆ2より大きいことを検出するとステップＳ３０へ処理を進める（ステップＳ２６）。
ステップＳ２６でＹＥＳの場合（バラツキ評価量Ｆ1がバラツキ評価量Ｆ2より小さいことが検出された場合）、処理がステップＳ２７に進み、このステップＳ２７において、バラツキ評価量Ｆ算出部９は、バラツキ評価量Ｆ1がバラツキ評価量Ｆ0より小さいか否かの検出を行い、このとき、バラツキ評価量Ｆ1がバラツキ評価量Ｆ0より小さいことを検出すると、処理をステップＳ２８へ進め、一方、バラツキ評価量Ｆ1がバラツキ評価量Ｆ0より大きいことを検出すると処理を終了する。
【００５２】
そして、ステップＳ２７でＹＥＳの場合（バラツキ評価量Ｆ1がバラツキ評価量Ｆ0より小さいことが検出された場合）ステップＳ２８に進み、このステップＳ２８において、バラツキ評価量Ｆ算出部９は、メディア４の表面に参照光が入射する角度を、Ｙ軸方向角度θyc−Δθyとなるよう、ミラー８の反射面の角度を調整するように、Ｙ軸方向角度調整部１２に対して制御信号を出力する。
これにより、Ｙ軸方向角度調整部１２は、ミラー８の反射面の角度を制御し、メディア４の表面に参照光が入射する角度を、Ｙ軸方向角度θyc−Δθyに変更し、処理をステップＳ２９へ進める。
そして、バラツキ評価量Ｆ算出部９は、バラツキ評価量Ｆ1が基準値（再生信号のＳ／Ｎ比の分布など、信号検出に必要なバラツキ評価量の調整残留量の許容値などから設定された値）より小さいか否かの検出を行い、このとき、バラツキ評価量Ｆ1が基準値より小さいことを検出すると、制御の限界値であるために処理を終了し、一方、バラツキ評価量Ｆ1が基準値より大きいことを検出すると処理をステップＳ２１へ戻す（ステップＳ２９）
【００５３】
一方、ステップＳ２６において、バラツキ評価量Ｆ算出部９は、バラツキ評価量Ｆ1がバラツキ評価量Ｆ2より大きいことを検出するとステップＳ３０へ処理を進める。
ステップＳ３０においては、バラツキ評価量Ｆ算出部９は、バラツキ評価量Ｆ2がバラツキ評価量Ｆ0より小さいか否かの検出を行い、このとき、バラツキ評価量Ｆ2がバラツキ評価量Ｆ0より小さいことを検出すると、処理をステップＳ３１へ進め、一方、バラツキ評価量Ｆ2がバラツキ評価量Ｆ0より大きいことを検出すると処理を終了する。
【００５４】
ステップＳ３０でＹＥＳの場合（バラツキ評価量Ｆ2がバラツキ評価量Ｆ0より小さいことが検出された場合）、処理がステップＳ３１に進み、このステップＳ３１において、バラツキ評価量Ｆ算出部９は、メディア４の表面に参照光が入射する角度を、Ｙ軸方向角度θyc＋Δθyとなるよう、ミラー８の反射面の角度を調整するように、Ｙ軸方向角度調整部１２に対して制御信号を出力する。
これにより、Ｙ軸方向角度調整部１２は、ミラー８の反射面の角度を制御し、メディア４の表面に参照光が入射する角度を、Ｙ軸方向角度θyc＋Δθyに変更し、処理をステップＳ３２へ進める。
そして、バラツキ評価量Ｆ算出部９は、バラツキ評価量Ｆ2が基準値より小さいか否かの検出を行い、このとき、バラツキ評価量Ｆ2が基準値より小さいことを検出すると、処理を終了し、一方、バラツキ評価量Ｆ2が基準値より大きいことを検出すると、処理をステップＳ１へ戻す（ステップＳ３２）。
【００５５】
ここで、ディテクタ６から出力される再生光の信号強度及び振幅は、図７に示すように、角度の位置及び波長の位置により変化し、このいずれかをバラツキ評価量Ｆ（Ｆa，Ｆb，Ｆc）を算出する際に用いる。
バラツキ評価量Ｆaは、情報データページ内の各ブロック間のバランスのみに注目している。しかしながら、再生光による信号強度が全体的に大きくなると、バラツキ評価量Ｆaも大きくなるため、全体の強度により規格化した指標を用いることが望ましい。ここで、以下に示す（３）式に示すように、（２）式により求めた標準偏差σを平均強度Ｂaveにより除算し、信号強度により規格化されたバラツキ評価量Ｆbを、上述の図５及び図６におけるフローチャートの処理で用いるバラツキ評価量Ｆとして用いても良い。
【００５６】
【数３】
2006268933.tif 000005
【００５７】
上記（３）式により得られた、規格化されたバラツキ評価量Ｆbを小さくする条件は、ブロック間の信号強度のバラツキが小さく、すなわち角度（θx及びθy）と波長λとが適切な状態に調整されることであり、情報データページ全体が均一に再生される条件となる。
さらに、全体の再生光の信号強度が、より大きくなるように調整する指標として、以下の（４）式に示すように、（２）式により得られる標準偏差σを、平均強度Ｂaveの２乗で除算して、強度と連動したバラツキ評価量Ｆcを算出して、上述の図５及び図６におけるフローチャートの処理で用いるバラツキ評価量Ｆとして用いても良い。
このバラツキ評価量Ｆcは、信号強度と連動しており、小さくする条件として、各ブロック間のバラツキが小さく、検出面全面での信号強度が大きい、つまり角度（θx及びθy）と波長λとが調整された、情報データページ全体が均一で所望の強度で再生される条件となる。
【００５８】
【数４】
2006268933.tif 000006
【００５９】
また、図５のフローチャートにおける波長λを調整する際のバラツキ評価量Ｆとして、図８（ａ）に示すように、格子状に分割したブロックにおいて、ディテクタ６の検出面のＹ軸方向に平行な対向する辺に沿ったブロックを用い、一方のＹ軸方向に平行な辺に沿ったブロックＢ11，Ｂ12，及びＢ13における信号強度の平均値と、他方のＹ軸方向に平行な辺に沿ったブロックＢ31，Ｂ32，及びＢ33における信号強度の平均値との差分の絶対値を用いてもよい。
【００６０】
同様に、図６のフローチャートにおけるＹ軸方向角度θyを調整する際のバラツキ評価量Ｆとして、図８（ｂ）に示すように、格子状に分割したブロックにおいて、ディテクタ６の検出面のＸ軸方向に平行な対向する辺に沿ったブロックを用い、一方のＸ軸方向に平行な辺に沿ったブロックＢ11，Ｂ21，及びＢ31における信号強度の平均値と、他方のＸ軸方向に平行な辺に沿ったブロックＢ13，Ｂ23，及びＢ33における信号強度の平均値との差分の絶対値を用いてもよい。
【００６１】
なお、上述したＸ軸方向角度θx，Ｙ軸方向角度θy及び波長λの調整動作は、電源投入時やメディアを交換した後、再生しない状態である程度の時間経過が経過した後など、初期化が必要な時点において、波長λとＹ軸方向角度θyとの調整動作を行うようにしてもよい。
初期設定、および定常的な波長λの調整動作のフローチャートは、図５に示した通りであり、中心波長λcから−Δλ及び＋Δλの変化分だけ波長λを偏差させ、バラツキ評価量Ｆがより小さくなるように、中心となる波長を更新していく。
なお、偏差量Δλは、初期の粗調整時と、微調整時とで偏差量の大きさを変化させた方が効率的である。すなわち、偏差量Δλは、粗調整時には大きく、微調整時には小さく設定する。
【００６２】
また、Ｙ軸方向角度を調整する手順も同様に、図６に示したフローチャートにおいて、中心となるＹ軸方向角度θyから−Δθy及び＋Δθyの変化分だけＹ軸方向角度θyを偏差させ、バラツキ評価量Ｆがより小さくなるように、中心となるＹ軸方向角度θを更新していく。
なお、偏差量Δθyは、初期の粗調整時と、微調整時とで偏差量の大きさを変化させた方が効率的である。すなわち、偏差量Δθyは、粗調整時には大きく、微調整時には小さく設定する。
また、上記の調整動作は、連続再生動作中に定期的に調整するようにして、時間の経過に伴って生じる周囲温度の変化に対応することができる。
【００６３】
さらに、図９に示すように、通常の再生動作中に波長λをリアルタイムに調整する方法も考えられる。
図９（ａ）に示すように、中心の波長λ0を微小量Δλにより偏差、すなわち、情報ページのスタック（メディア４の情報データページを多重化する記憶領域の単位）の情報データの再生後に、負の偏差λ0（すなわちλc）−Δλに偏差させ、次のスタックの情報データページの情報データ再生後に、正の偏差λ0＋Δλに偏差させ、メディア４の再生動作を継続し、上記の波長調整方法により、ほぼリアルタイムに波長を調整するようにしてもよい。
【００６４】
一方、上述したように、偏差を複数のデータページのスタックを掃引する単位毎に切り替えるのではなく、図９（ｂ）に示すように１ページまたは複数の情報データページ毎に偏差を切り替えるようにしてもよい（ウォブリング動作）。
また、図示しないが、ウォブリング動作を正弦波状にして、情報データページ毎に異なる偏差量Δλが割りあてられるように制御しても良い。
【００６５】
さらに、図１０に示すように、通常の再生動作中にＹ軸方向角度θyをリアルタイムに調整する方法も考えられる。
図９（ａ）に示すように、中心のＹ軸方向角度θｙcを微小量Δθyにより偏差、すなわち、情報ページのスタック（メディア４の情報データページを多重化する記憶領域の単位）の情報データの再生後に、負の偏差θyc−Δθyに偏差させ、次のスタックの情報データページの情報データ再生後に、正の偏差θyc＋Δθyに偏差させ、メディア４の再生動作を継続し、上記のＹ軸方向角度調整方法により、ほぼリアルタイムに波長を調整するようにしてもよい。
【００６６】
一方、上述したように、偏差を複数のデータページのスタックを掃引する単位毎に切り替えるのではなく、図１０（ｂ）に示すように１ページまたは複数の情報データページ毎に偏差を切り替えるようにしてもよい（ウォブリング動作）。
また、図示しないが、ウォブリング動作を正弦波状にして、情報データページ毎に異なる偏差量Δθyが割りあてられるように制御しても良い。
【００６７】
＜第２の実施形態＞
次に、第２の実施形態として、ホログラフィー記録装置とホログラフィー再生装置とを別にした、ＲＯＭ（リードオンリーメモリ）型、あるいは追記型のメディアに対応したシステム構成としてもよい。
例えば、図１１に示すシステム構成は、記録時に信号光と参照光とをメディア４の反対側から入射させ（図１１（ａ））、再生時に参照光を位相共役の再生照明光として、メディア４へ入射させる（図１１（ｂ））反射型ホログラムを例としている。
【００６８】
図１１に示す構成の場合、図１１（ａ）に示すホログラフィー記録装置において、参照光の角度を変え、複数の情報データページに対し、各々情報データが多重記録されたメディア４を、ホログラフィーＲＯＭとして作成する。
ここで、図１と同様に、信号光がＳＬＭ・２から出射され、参照光がミラー８から出射され、他の構成については、ＦＴレンズ３がＳＬＭ・２の前部に配設されている以外、図１と同様である。また、ＳＬＭ・２とメディア４との間に矩形開口部１３が設けられている。
そして、メディア４への情報データの書込処理は、上述した第１の実施形態と同様の処理により行われる。
このとき、参照光は、信号光が入射される面に対し、反対の面からメディア４における入射光の入射される記録領域に入射される。
【００６９】
そして、図１１（ｂ）に示すホログラフィー再生装置において、読出し時に、参照光の代わりに位相共役再生照明光を用い、第１の実施形態で説明した読出し処理により、情報データの再生処理が行われる。
このホログラフィー再生装置は、ホログラフィー記録装置において、信号光が入力された面と同一の面に対し、位相共役再生照明光を入射させる。これにより、ホログラフィー再生装置側には、ＦＴレンズを設ける必要が無くなる。
位相共役再生照明光は、背後から読み出す構成であるため、参照光が位相共役光となるために定義しているものであり、図１１（ａ）における参照光と同様のビームである。
【００７０】
このときの、位相共役再生照明光の角度の制御は、第１の実施形態と同様に、この位相共役再生照明光の入射する角度θを、ミラー８の反射面を傾斜させて、位相共役再生照明光が情報データページに対応した角度に入射するよう制御する。
また、ホログラフィー再生装置は、図示されていないが、レーザ装置，ディテクタ６，シャッタ７，ミラー８，バラツキ評価量Ｆ算出部９，Ｘ軸方向角度調整部１１，Ｙ軸方向角度調整部１２とが第１の実施形態と同様に必要に応じて設けられている。
第１の実施形態と異なる部分は、ディテクタ６が矩形開口部１４（ディテクタ６の検出面に対応した面積にする）を介して、位相共役再生照明光が入力されるメディア４の面と同一の側に配設されていることである。
【００７１】
したがって、図１１（ｂ）に示すホログラフィー再生装置は、メディア４に対して所望の角度から、位相共役再生照明光を入射させ、記録された情報データを再生するホログラフィーＲＯＭ再生装置とすることができる。
上述したホログラフィーＲＯＭ再生装置においては、構成上、特にホログラフィー記録装置における書込時の参照光の角度と、読出し時の位相共役再生照明光の角度とを同一とすることが困難であり、かつ複数の異なるメディアがローディングされることが前提となるので、角度ずれは避けられない。
しかしながら、上述したように第２実施形態に示すような方法により、バラツキ評価量Ｆを基に、位相共役再生照明光の角度と波長とを調整することにより、角度ずれや波長ずれを許容して正確な情報データの再生が可能になる。
【００７２】
＜第３の実施形態＞
次に、本発明の第３の実施形態によるホログラフィー記録・再生装置の説明を行う。
第１及び第２の実施形態においては、上述したように、参照光の角度を変えることで、異なる角度毎の情報データページを生成することにより、記憶領域における情報データの多重化を行っている。
一方、この第３の実施形態は、レーザ光源を制御して、放射するレーザ光の波長を変え、波長毎にて多重化させる波長多重化のシステムに適用させた例である。
ところが、一般的に、透過型ホログラムにおいては、反射型ホログラムに比較して波長分解能が大きく劣るため、波長による多重化においては反射型ホログラムの方式、すなわち、第２の実施形態の位相共役光を用いて情報信号を再生する構成例が好適である。
【００７３】
しかしながら、透過型ホログラム及び反射型ホログラムのいずれの方式を用いる場合においても、第３の実施形態における記録処理は、第１及び第２の実施形態における角度θを波長λとし、角度をずらすのではなく、情報データページ毎に波長をずらして、複数の情報データページにより情報データの多重記録が行われる。
波長多重化においては、ＶＣＳＥＬなどの温度を制御し、放射されるレーザ光の波長を変える方式となるため、角度以上に制御の基準を設けることが難しく、本発明における波長λ制御の方法は、各情報データページに記録された情報データを読み出す方法として有効である。
【図面の簡単な説明】
【００７４】
【図１】本発明の第１の実施形態によるホログラフィー装置の構成例を示すブロック図である。
【図２】本発明の第１の実施形態によるホログラフィー装置の再生時におけるディテクタ６の検出面の格子状分割を説明する概念図である。
【図３】ディテクタ６がメディア４からの再生光を受光して出力する信号強度を示すグラフである。
【図４】波長ずれ及び角度（メディア４の記憶面に対する参照光の入射角度）ずれによるディテクタ６の検出面における参照光の強度のバラツキを説明する概念図である。
【図５】本発明の実施形態における再生の際に波長λのずれを修正する動作例を示すフローチャートである。
【図６】本発明の実施形態における再生の際にＹ軸方向角度θyのずれを修正する動作例を示すフローチャートである。
【図７】バラツキ評価量Ｆを算出する際に用いる信号強度及び振幅の変化例を示す概念図である。
【図８】波長λのずれの補正及び角度（θy）のずれの補正に用いるバラツキ評価量Ｆの他の算出例を示す概念図である。
【図９】情報データ再生の際、図５のフローチャートの処理を用いて、波長λのずれを補正するタイミングを示す概念図である。
【図１０】情報データ再生の際、図６のフローチャートの処理を用いて、角度（θy）のずれを補正するタイミングを示す概念図である。
【図１１】本発明の第２の実施形態におけるホログラフィー記録装置及びホログラフィー再生装置を説明する概念図である。
【符号の説明】
【００７５】
１，７…シャッタ
２…ＳＬＭ
３，５…ＦＴレンズ
４…メディア
６…ディテクタ
８…ミラー
９…バラツキ評価量Ｆ算出部
１０…波長調整部
１１…Ｘ軸方向角度調整部
１２…Ｙ軸方向角度調整部
１３，１４…矩形開口部
【図１】
2006268933.tif 000007
【図２】
2006268933.tif 000008
【図３】
2006268933.tif 000009
【図４】
2006268933.tif 000010
【図５】
2006268933.tif 000011
【図６】
2006268933.tif 000012
【図７】
2006268933.tif 000013
【図８】
2006268933.tif 000014
【図９】
2006268933.tif 000015
【図１０】
2006268933.tif 000016
【図１１】
2006268933.tif 000017